(57)【要約】【課題】脚体に十分な剛性をもたせ、安定性を良くするようにした作業台を提供する。【解決手段】作業を行なうステージ部１と、ステージ部１の前後端部に折り畳み可能に設けられた前後一対の脚体２，３とからなり、各脚体２，３が、ステージ部１に枢着された第１脚部４と、この第１脚部４に対し伸縮可能に連結されると共に所要伸縮位置で固定可能な第２脚部５とによって伸縮調整可能に構成されている作業台において、  前部脚体２の第１脚部４側と後部脚体３の第２脚部５との間、及び後部脚体３の第１脚部４側と前部脚体２の第２脚部５との間に、互いに伸縮可能に嵌合されて所要の伸縮位置で固定可能な一対のブレス部材６ａ、６ｂからなるブレス６を襷状に掛け渡して枢支連結してなる。【選択図】図１
2008050824.tif 000002
【特許請求の範囲】
【請求項１】
作業を行なうステージ部と、このステージ部の前後端部に設けられた前後一対の脚体とからなる作業台であって、各脚体が、ステージ部に枢着された第１脚部と、この第１脚部に対し伸縮可能に連結されると共に所要伸縮位置で固定可能な第２脚部とによって伸縮調整可能に構成されている作業台において、
前部脚体の第１脚部側と後部脚体の第２脚部との間、及び後部脚体の第１脚部側と前部脚体の第２脚部との間に、互いに伸縮可能に嵌合されて所要の伸縮位置で固定可能な一対のブレス部材からなるブレスを掛け渡し、各ブレス部材の取付端部は取付所要部に対し枢着してなることを特徴とする作業台。
【請求項２】
各ブレスを構成する一対のブレス部材の何れか一方のブレス部材の取付端部は取付所要部に対し固定的に枢着し、他方のブレス部材の取付端部は取付所要部に対し取外し可能に枢着してなることを特徴とする請求項１に記載の作業台。
【請求項３】
前後各脚体の左右両側には、夫々高さ調整可能なアウトリガーを着脱可能に取り付けてなることを特徴とする請求項１又は２記載の作業台。
【請求項４】
ステージ部の下面側中央部と前部脚体の第１脚部及び後部脚体の第１脚部との間に夫々補強杆を枢支連結し、各補強杆の長手方向中途部には補強杆を二つ折りするための関節装置を設けてなることを特徴とする請求項１〜３の何れかに記載の作業台。
【発明の詳細な説明】
【技術分野】
【０００１】
本発明は、本発明は、ビル等建物の建設現場等における天井の内装仕上げや配線、配管作業等の比較的高所での作業を行なう時に使用する作業台に関するものである。
【背景技術】
【０００２】
ビル等の建設現場において、躯体を構築した後に内装仕上げや配線作業等を行なうが、その場合に天井等の高い場所での仕上げ作業や配線作業には作業台を用いることが多い。従来この種の作業台として、例えば下記特許文献１に記載されているものがある。
【０００３】
特許文献１に記載の作業台は、作業を行なうステージ部と、このステージ部の前後端部に折り畳み可能に設けられた前後一対の脚体とからなるもので、使用時には前後の脚体を拡開して使用位置に直立させると共に、使用しない時には収納位置に折り畳むようにし、また作業台の脚体は作業高さに合わせて伸縮できるようになっている。
【特許文献１】特開平３−１３６６２号公報
【発明の開示】
【発明が解決しようとする課題】
【０００４】
上記従来の作業台にあっては、使用時に作業高さが高い時には脚体を伸張させることができ、不使用時には脚体を収縮させて折り畳むことによってコンパクトに収容できるが、コンパクト化を追求するあまり、使用時に前後脚体の剛性が不十分であり、従って不安定さを有するという致命的な欠点があった。
【０００５】
本発明は、上記の問題点に鑑み、使用時の脚体に十分な補強構造をもたせて、使用時の安定性を良くするようにした作業台を提供することを目的とする。
【課題を解決するための手段】
【０００６】
上記課題を解決するための手段を、後述する実施形態の参照符号を付して説明すると、請求項１に係る発明は、作業を行なうステージ部１と、このステージ部１の前後端部に折り畳み可能に設けられた前後一対の脚体２，３とからなる作業台であって、各脚体２，３が、ステージ部１に枢着された第１脚部４と、この第１脚部４に対し伸縮可能に連結されると共に所要伸縮位置で固定可能な第２脚部５とによって伸縮調整可能に構成されている作業台において、
前部脚体２の第１脚部４側と後部脚体３の第２脚部５との間、及び後部脚体３の第１脚部４側と前部脚体２の第２脚部５との間に、互いに伸縮可能に嵌合されて所要の伸縮位置で固定可能な一対のブレス部材６ａ、６ｂからなるブレス６を掛け渡し、各ブレス部材６ａ、６ｂの取付端部６ａｏ，６ｂｏは取付所要部に対し枢着してなることを特徴としている。
【０００７】
請求項２は、請求項１に記載の作業台において、各ブレス６を構成する一対のブレス部材６ａ、６ｂの何れか一方のブレス部材６ａの取付端部６ａｏは取付所要部に対し固定的に枢着し、他方のブレス部材６ｂの取付端部６ｂｏは取付所要部に対し取外し可能に枢着してなることを特徴とする。
【０００８】
請求項３は、請求項１又は２記載の作業台において、前後各脚体２，３の左右両側には、夫々高さ調整可能なアウトリガー１２，１２を着脱可能に取り付けてなることを特徴とする。
【０００９】
請求項４は、請求項１〜３の何れかに記載の作業台において、ステージ部１の下面側中央部と前部脚体２の第１脚部４及び後部脚体３の第１脚部４との間に夫々補強杆７，８を枢支連結し、各補強杆７，８の長手方向中途部には補強杆７，８を二つ折りするための関節装置９を設けてなることを特徴とする。
【発明の効果】
【００１０】
上記解決手段による発明の効果を、後述する実施形態の参照符号を付して説明すると、請求項１に係る発明の作業台は、前部脚体２の第１脚部４と後部脚体３の第２脚部５との間、及び後部脚体３の第１脚部４と前部脚体２の第２脚部５との間に、互いに伸縮可能に嵌合されて所要の伸縮位置で固定可能な一対のブレス部材６ａ、６ｂからなるブレス６を掛け渡し、各ブレス部材６ａ、６ｂの取付端部６ａｏ，６ｂｏは取付所要部に対して枢着したもので、作業台の使用時には前部脚体２，３間に掛け渡されたブレス６，６によって前後脚体２，３が十分に補強されるから、安定状態で作業を行うことができる。
【００１１】
そして、前後各脚体２，３の第２脚部５を第１脚部４に対し伸縮させて各脚体２，３の高さを調整する時には、各ブレス６のブレス部材６ａ、６ｂを伸縮可能な状態にしておけば、第１脚部４に対する第２脚部５の伸縮動作に連動してブレス部材６ａ、６ｂが伸縮するから、ブレス６を前後脚体２，３に取り付けたままで脚体２，３の高さ調整を容易に行うことができる。
【００１２】
請求項２に係る発明の作業台では、各ブレス６の一対のブレス部材６ａ、６ｂの何れか一方のブレス部材６ａの取付端部６ａｏを取付所要部に対し固定的に枢着し、他方のブレス部材６ｂの取付端部６ｂｏを取付所要部に対し取外し可能に枢着しているから、前後脚体２，３をステージ部１の下面側に折り畳む時には、上記他方のブレス部材６ｂの取付端部６ｂｏを脚体２，３の脚部４，５から取り外すことにより、脚体２，３と共にブレス６もステージ部１の下面側に折り畳むことができる。
【００１３】
請求項３に係る発明の作業台では、ステージ部１の下面側中央部と前部脚体２の第１脚部４及び後部脚体３の第１脚部４との間に夫々補強杆７，８を枢支連結し、各補強杆７，８の長手方向中途部に補強杆７，８を二つ折りするための関節装置９を設けているから、ブレス６，６に加えて、補強杆７，８によっても、前後両脚体２，３が補強されることになり、従ってより一層安定状態で作業を行うことができる。
【発明を実施するための最良の形態】
【００１４】
以下に本発明の好適な実施形態について図面を参照しながら説明すると、図１は本発明に係る作業台の側面図、図２は同作業台の平面図、図３は同作業台の背面図である。この作業台は、作業者が作業を行なうステージ部１と、このステージ部１の前後端部に折り畳み可能に設けられた前後一対の脚体２，３とからなるもので、各脚体２，３は、ステージ部１に枢着された第１脚部４と、この第１脚部４に対し伸縮可能に連結されると共に所要伸縮位置で固定可能な第２脚部５とによって伸縮調整可能に構成されている。
【００１５】
前部脚体２の第１脚部４と後部脚体３の第２脚部５との間、及び後部脚体３の第１脚部４と前部脚体２の第２脚部５との間には、互いに伸縮可能に嵌合されて所要の伸縮位置で連結可能な一対のブレス部材６ａ，６ｂからなるブレス６が夫々掛け渡されており、またステージ部１の下面側中央部と前部脚体２及び後部脚体３との間には、夫々補強杆７，８が枢支連結されていて、各補強杆７，８の長手方向中途部には各補強杆７，８を二つ折りするための関節装置９が設けられている。
【００１６】
また、ステージ部１の周囲には手摺り１０が設置され、ステージ部１の前端部には周知の伸縮梯子１１が掛けられ、また図２及び図３に示すように、前後各脚体２，３の左右両側には、夫々高さ調整可能なアウトリガー１２が着脱可能に取り付けられる。
【００１７】
上記作業台の構造について更に詳しく説明すれば、ステージ部１は、アルミ板あるいはエキスパンドメタル等よりなる長方形の天板１ａの周縁部にアルミ型材等よりなる周枠１ｂを取り付けて形成されている（図４の(b) 参照）。このステージ部１の下面側の四隅部に取付ブラケット１３…が固着されていて、前部側２つの取付ブラケット１３，１３間及び後部側２つの取付ブラケット１４，１４間には夫々補強桟１５が架け渡されている（図３参照）。
【００１８】
前部側の取付ブラケット１３，１３には、前部脚体２の第１脚部４を形成する左右の脚柱４ａ，４ａの夫々上端部が前後方向回動可能に枢着され、両脚柱４ａ，４ａの上端部どうしが連結杆４ｂ（図３参照）によって連結されると共に、両脚柱４ａ，４ａの下端部どうしが連結杆４ｃにより連結され、しかしてこれら左右両脚柱４ａ，４ａと上部側連結杆４ｂと下部側連結杆４ｃとによって前部脚体２の第１脚部４が構成される。第１脚部４の両脚柱４ａ，４ａ内には、伸縮杆５ａ，５ａが夫々伸縮可能に内嵌され、両伸縮杆５ａ，５ａの下端部どうしが連結杆５ｂによって連結され、しかしてこれら両伸縮杆５ａ，５ａと連結杆５ｂとによって前部脚体２の第２脚部５が構成される。各伸縮杆５ａの下端部にはキャスターＫが取り付けられている。
【００１９】
後部脚体３の第１脚部４及び第２脚部５も前部脚体２と同じ構造であって、その第１脚部４は、左右両脚柱４ａ，４ａと上部側連結杆４ｂと下部側連結杆４ｃとから構成され、第２脚部５は、両伸縮杆５ａ，５ａと連結杆５ｂとによって構成される。尚、第２脚部５の両伸縮杆５ａ，５ａは夫々伸縮調整手段１６によって第１脚部４の脚柱４ａ，４ａに対し伸縮調整される。伸縮調整手段１６については、後に図６及び図７により説明する。
【００２０】
ブレス６は、互いに伸縮可能に嵌合されて所要の伸縮位置で固定可能な一対のブレス部材６ａ，６ｂから構成され、詳細な構造を図４の(a) 〜(d) に示している。一方のブレス部材６ａは、(a) 〜(c) に示すように、所要長さを有する金属製パイプからなるもので、その一端部をプレス加工により扁平状に圧潰して取付端部６ａｏを形成して、この取付端部６ａｏにピン挿通孔１７を設けると共に、ブレス部材６ａのほぼ全域に亘って固定ボルト挿通孔１８を一定ピッチで多数設けている。
【００２１】
他方のブレス部材６ｂは、図４の(b) ，(c) から分かるように、一方のブレス部材６ａより僅かに径大で、当該一方のブレス部材６ａにスライド可能に外嵌される所要長さの金属製パイプからなるもので、その一端部をプレス加工により扁平状に圧潰して取付端部６ｂｏを形成して、この取付端部６ｂｏにピン挿通孔１９を設け、このブレス部材６ｂの他端部側には、(d) に示すように、互いに嵌合した両ブレス部材６ａ，６ｂを所要伸縮位置で固定する固定用ボルト２０を螺合させると共にパイプ内部に挿通させるためのナット部材２１が取り付けられている。固定用ボルト２０は、蝶ボルトからなるもので、(d) に示すように、両ブレス部材６ａ，６ｂが互いに嵌合した状態でナット部材２１からブレス部材６ｂを貫通してブレス部材６ａの所要のピン挿通孔１８に挿通させることによって、両ブレス部材６ａ，６ｂを所要の伸縮位置で固定することができる。
【００２２】
このブレス６は、前後脚体２，３の左右両面側において、前部脚体２の第１脚部４の上端部と後部脚体３の第２脚部５の下端部との間、及び前部脚体２の第２脚部５の下端部と後部脚体３の第１脚部４の上端部との間には、互いに伸縮可能に嵌合されて所要の伸縮位置で連結可能な一対のブレス部材６ａ，６ｂからなるブレス６が襷掛け状に（Ｘ字状に）掛け渡されるようになっているが、その具体的な取付方法について以下に説明する。
【００２３】
図１には、前後脚体２，３の右側面側に２つのブレス６，６が襷掛け状に掛け渡された状態を示し、図５の(a) は図１に示す前後脚体２，３の右側面側の２つのブレス６，６が折り畳まれた状態を示している。襷掛け状に掛け渡される２つのブレス６，６のうちの一方のブレス６は、図１及び図５の(b) に示すように、一対のブレス部材６ａ，６ｂの一方のブレス部材６ａの取付端部６ａｏをそのピン挿通孔１７（図４参照）を利用して前部側取付ブラケット１３の上端部にボルト２２により固定的に（通常は取り外せない状態に）枢着し、他方のブレス部材６ｂの取付端部６ｂｏは、そのピン挿通孔１９を、後部脚体３の第２脚部５の下端部に取り付けられたロック爪２３ａ付き止着ピン２３（図４の(c) 参照）に挿通させることによって取外し可能に枢着する。
【００２４】
襷掛けされる２つのブレス６，６のうちの他方のブレス６は、図１及び図５の(b) に示すように、一対のブレス部材６ａ，６ｂの一方のブレス部材６ａの取付端部６ａｏをそのピン挿通孔１７を利用して後部側取付ブラケット１４の上端部にボルト２２により（図４の(c) 参照）固定的に枢着し、他方のブレス部材６ｂの取付端部６ｂｏは、そのピン挿通孔１９を、前部脚体２の第２脚部５の下端部に取り付けられたロック爪２３ａ付き止着ピン２３（図４の(c) 参照）に挿通させることによって取外し可能に枢着する。
【００２５】
尚、図５の(b) に示すように、前部側取付ブラケット１３及び後部側取付ブラケット１４には夫々下端部にロック爪２３ａ付き止着ピン２３が取り付けられているが、これは、前後各脚体２，３（第１脚部４及び第２脚部５）をステージ部１の下面側に折り畳んで収納する際に、各ブレス６のブレス部材６ｂの取付端部６ｂｏを、前後各脚体２，３の第２脚部５の下端部の止着ピン２３から取り外して、前後取付ブラケット１３，１４のロック爪２３ａ付き止着ピン２３に付け替えるようにするためであり、この付け替えた状態を図５の(a) ，(b) に示している。
【００２６】
この作業台は、上記のように、前部脚体２の第１脚部４側と後部脚体３の第２脚部５との間、及び後部脚体３の第１脚部４側と前部脚体２の第２脚部５との間に、互いに伸縮可能に嵌合されて所要の伸縮位置で固定可能な一対のブレス部材６ａ、６ｂからなるブレス６を襷状に掛け渡して、各ブレス部材６ａ、６ｂの取付端部６ａｏ，６ｂｏを夫々の取付所要部に対し枢着しているから、作業台の使用時は、襷状に掛け渡されるブレス６，６により前後脚体２，３が十分に補強されて、安定状態で作業を行うことができる。尚、この実施形態では、一方のブレス６のブレス部材６ａの取付端部６ａｏを前部側取付ブラケット１３に枢着し、他方のブレス６のブレス部材６ａの取付端部６ａｏを後部側取付ブラケット１４に枢着しているが、一方のブレス６のブレス部材６ａの取付端部６ａｏを前部脚体２の第１脚部４の上端部に枢着し、他方のブレス６のブレス部材６ａの取付端部６ａｏを後部脚体３の第１脚部４の上端部に枢着してもよい。
【００２７】
しかして、前後各脚体２，３の第２脚部５を第１脚部４に対し伸縮させて各脚体２，３の高さを調整する時には、各ブレス６の固定用ボルト２０を緩めて、両ブレス部材６ａ、６ｂを伸縮可能な状態にしておけば、第１脚部４に対する第２脚部５の伸縮動作に連動してブレス６のブレス部材６ａ、６ｂが伸縮するから、脚体２，３の高さ調整作業を容易に行うことができる。
【００２８】
また、この作業台では、各ブレス６の一対のブレス部材６ａ、６ｂの一方のブレス部材６ａの取付端部６ａｏを取付所要部に対し固定的に枢着し、他方のブレス部材６ｂの取付端部６ｂｏを取付所要部に対し取外し可能に枢着しているから、図５の(a) ，(b) に示すように前後脚体２，３全体をステージ部１の下面側に折り畳む時には、他方のブレス部材６ｂの取付端部６ｂｏを脚体２，３の脚部４，５から取り外すことによって、脚体２，３と共にブレス６，６もステージ部１の下面側に折り畳み収納することができる。
【００２９】
ステージ部１に設置される手摺り１０は、ステージ部１の左右側縁部、即ち両サイドに配置される矩形枠状のサイド手摺り部１０ａ，１０ａと、ステージ部１の前後両側縁部に配置される矩形枠状の前後妻面側手摺り部１０ｂ，１０ｃとからなり、各妻面側手摺り部１０ｂは、その一端側の枢支部Ｐを中心として夫々回動可能で、開閉扉を兼用している。また、各サイド手摺り部１０ａ及び前後妻面側手摺り部１０ｂ，１０ｃには夫々幅木２４が設けられる。
【００３０】
前後各脚体２，３の左右両側に設けられたアウトリガー１２は、図２及び図３に概略示すように、支柱２５と、この支柱２５の上端部とその下方部に夫々の一端部が固着された水平支持杆２６，２６と、上下水平支持杆２６，２６を他端部側をつなぐ連結杆２７と、各支柱２５に伸縮可能に嵌合された伸縮杆２８とからなるもので、伸縮杆２８の下端部にはベースプレート２９ａ付きのネジ式ベースジャッキ２９が装着されていて、上下水平支持杆２６，２６の他端部が前後脚体２，３の第１脚部４を形成する脚柱４ａに取り付け固定される。各伸縮杆２８は、前後脚体２，３の伸縮調整手段１６と同じ構造の伸縮調整手段３０によって支柱２５に対し伸縮調整され、ネジ式ベースジャッキ２９によって微調整されるようになっている。
【００３１】
次に、前後各脚体２，３の伸縮調整手段１６の一例を図６及び図７を参照しながら説明すると、前後各脚体２，３の第１脚部４を形成する脚柱４ａは、角筒状部材からなるもので、前後方向に対向する側壁のうち一方の側壁ａの外面両側に係合突条５６が突設され、他方の側壁ｂの内面両側には外広がりの傾斜係合面５５が形成されている。この第１脚部４の脚柱４ａに嵌合される第２脚部５の伸縮杆５ａは、その横断面の全体形状が略矩形状で、前後方向に対向する側壁の中央部に断面コ字状に窪ませた窪み部５ｏが長手方向に沿って形成され、第１脚部４の脚柱４ａの一方の側壁ａに対向する一方の窪み部５ｏの底面に、ピン受け段部３３と平坦部３４を交互に有する部材３５が適当間隔置きにビス３６などによって一体的に設けられている。そのピン受け段部３３は、上面側が水平な段面３３ａを形成しているのに対して下面側は傾斜面３３ｂに形成されている。尚、最も上部の部材３５ａには、上向きの段面３３ａに対向して調整ピン３８が嵌入できる間隔をあけて下向きの段面３３ｃが形成され、調整ピン３８を操作しないと、第２脚部５をそれ以上下方に伸長移動できないように構成されている。
【００３２】
また、第１脚部４の脚柱４ａの一方の側壁ａには両側の係合突条５６に係合させて取付ブラケット３７が装着され、脚柱４ａの下端近傍位置に固着されている。この取付ブラケット３７に下部側の調整ピン３８と上部側のがたつき防止ピン３９とが貫通して設けられている。これら調整ピン３８とがたつき防止ピン３９は、取付ブラケット３７の天井壁３７ａと底壁３７ｂ及び第１脚部材４の脚柱４ａ一側壁ａを貫通してピン受け段部３３と平坦部３４に向けて突出可能に構成されている。調整ピン３８は、取付ブラケット３７の天井壁３７ａとばね受け４０との間に介装した圧縮ばね４１によって矢印ｘで示すようにピン受け段部３３側に付勢されており、且つ調整ピン３８にはこれに直交して開放位置維持小片４２が突設され、調整ピン３８をそのつまみ４３を持って圧縮ばね４１の付勢力に抗して矢印ｙで示すように後退開放させかつ矢印ｚで示すように９０°回動させることによって、小片４２を取付ブラケット３７の天井壁３７ａに突設した小片係合部４４に係合させ、調整ピン３８を開放位置に維持できるように構成されている。
【００３３】
また、がたつき防止ピン３９は、ねじ軸の中間部が小径に切削され、基端部側と先端部側とにねじ部４５、４６が設けられ、基端部側ねじ部４５を取付ブラケット３７の天井壁３７ａに設けた雌ねじ部４７に螺合させることにより、がたつき防止ピン３９の先端部をピン受け段部３３、３３間の平坦部３４に圧接させ、逆に基端部側ねじ部４５を雌ねじ部４７から外すことによって、取付ブラケット３７の外面とがたつき防止ピン３９のつまみ４８との間に設けた圧縮ばね４９に付勢されて、がたつき防止ピン３９を開放状態に維持できるように構成されている。
【００３４】
従って、伸縮調整手段１６を操作する場合には、上述のように開放位置維持小片４２を小片係合部４４に係合して調整ピン３８をピン受け段部３３から開放状態に維持するとともに、がたつき防止ピン３９をも開放状態に維持しておき、この操作によって第２脚部５の伸縮杆５ａは第１脚部４の脚柱４ａに対して自由に伸縮移動できるから、第２脚部５の伸縮杆５ａを第１脚部４の脚柱４ａに対して所要の伸縮位置に移動させ、その所要位置で調整ピン３８を矢印ｚで示すように９０°回動させて、それに突設してある開放位置維持小片４２を小片係合部４４から離脱させる。これにより調整ピン３８は圧縮ばね４１に付勢されてピン受け段部３３に係合し、第１脚部４の脚柱４ａが受ける荷重を調整ピン３８とこれが係合するピン受け段部３３で受け止めて第２脚部５の伸縮杆５ａの収縮動作を阻止することができる。
【００３５】
尚、この場合、第２脚部５の伸縮杆５ａを第１脚部４の脚柱４ａに対し下方に伸長移動させるときは、調整ピン３８を開放位置に維持させておく必要がなく、単に第２脚部５の伸縮杆５ａを下方に伸長移動させることによって調整ピン３８がピン受け段部３３の傾斜面３３ｂに接触し、この傾斜面３３ｂに沿って調整ピン３８が圧縮ばね４１の付勢力に抗して後退移動し、傾斜面３３ｂを乗り越えることによって調整ピン３８は自動的に圧縮ばね４１に付勢されてピン受け段部３３の段面３３ａに係合させることができる。
【００３６】
そして、第１脚部４の脚柱４ａと第２脚部５の伸縮杆５ａとの間のがたつきを防止するために、図７の状態から図６に示すように、圧縮ばね４９の付勢力に抗してがたつき防止ピン３９の基端部側ボルト部４５を雌ねじ部４７にねじ込み、その先端部を平坦部３４に強く押し付ける。すると、第２脚部５の伸縮杆５ａがその押し付け力により第１脚部４の脚柱４ａにおける他方の側壁ｂに向けて押圧され、この側壁ｂの両側に形成された外広がりの傾斜係合面５５に第２脚部５の伸縮杆５ａの両側縁が係合することにより、押し付け方向だけでなくそれと直交する方向の押圧反力がこの第２脚部５の伸縮杆５ａに作用してそれら両方向のがたつきが確実に防止され、第１脚部４の脚柱４ａと第２脚部５の伸縮杆５ａの間でのあらゆる方向のがたつきが完全に防止される。以上の操作によって各脚体２の脚長を伸縮自在に調整することができる。
【００３７】
アウトリガー１２の伸縮杆２８を支柱２５に対して伸縮調整する伸縮調整手段３０は、上述した前後各脚体２，３の伸縮調整手段１６と同様な構成であるから、この伸縮調整手段３０の構成及び作用については説明を省略する。
【００３８】
前記補強杆７，８の夫々一端部は、図２に破線で示すように、ステージ部１を形成する天板１ａの中央部裏面側に左右並設してある取付軸５７，５８に枢着され、補強杆７，８の夫々一端部は、図２及び図３に概略示すように、前後脚体２，３における第１脚部４の左右の脚柱４ａ，４ａをつなぐ連結杆４ｃに枢着されている。
【００３９】
各補強杆７，８を二つ折りするための関節装置９は、図８の(a) ，(b) に示すように、筒状の上部側ロック本体６１と下部側のロック本体６２とを有し、それぞれ補強杆７，８の上部側桟部材５９と下部側桟部材６０とに溶接等によって固着されると共に、両ロック本体６１、６２は関節軸６５によって枢支連結され、関節軸６５を中心に補強杆７，８の下部側桟部材６０が上部側桟部材５９に対して図中矢印Ａ方向に二つ折りできるようになっている。そして、下部側ロック本体６２にロック軸６６によって回動可能に軸支されたロックブロック６７が上下両ロック本体６１、６２にわたって設けられている。
【００４０】
ロックブロック６７にはその先端部にロック片６８が突設され、このロック片６８が上部側ロック本体６１に設けた係合突起６９に係合するようになっている。またロックブロック６７には中空部７０が設けられ、これに圧縮スプリングからなるロックばね７１が収容されてその一端部が関節軸６５に受け止められ、他端部が中空部７０の内壁に受け止められ、このロックばね７１に付勢されてロック片６８のロック面６８ａが上部側ロック本体６１の係合突起６９の係合面６９ａに強く押圧係合するようになっている。
【００４１】
またロックブロック６７の後端部にはロックブロック６７のロック状態を開放するための開放レバー７２が突設されるとともに、ロックブロック６７の先端部外周面には、後述のように上部側桟部材５７に対する下部側桟部材６０の二つ折り状態から伸展する際に、ロックブロック６７が係合突起６９のコーナー部６９ｂ（図８の(b) 参照）に沿って摺動するためのガイド面６７ａが形成されている。
【００４２】
図８の(a) は、下部側ロック本体６２のロック軸６６に枢着しているロックブロック６７のロック片６８が上部側ロック本体６１の係合突起６９にロックばね７１の付勢力によって強く押圧係合して上部側桟部材５９と下部側桟部材６０とが直線状にロックされている状態を示す。このロック状態から、図８の(b) に示すように上部側桟部材５９に対して下部側桟部材６０が二つ折りした状態に開放操作するには、開放レバー３２を矢印Ｂのようにロックばね７１の付勢力に抗して下方に回動操作すればよい。この操作によってロック片６８が係合突起６９から離れて両者の係合状態が開放されるから、その状態で下部側桟部材６４を矢印Ａに示すように関節軸６５を中心に上方に回動させることによって、図８の(b) に示すように下部側桟部材６０を上部側桟部材５９に折り重なるように二つ折りすることができる。
【００４３】
この二つ折り状態から再び下部側桟部材６０を伸展して直線状態とするためには、下部側桟部材６０を、関節軸６５を中心に下方に回動することによってロックブロック６７のガイド面６７ａが上部側桟部材５９の係合突起６９のコーナー部６９ｂに当接し、この係合突起６９に押されてロックブロック６７はロックばね７１の付勢力に抗して若干関節軸６５側に没入する。そして、更に強く下部側桟部材６０を回動することによってガイド面６７ａが係合突起６９のコーナー部６９ｂを摺動し、このコーナー部６９ｂを通過することによって、ロックブロック６７は係合突起６９の押圧力から開放されるため、その没入状態からロックばね７１に付勢されて突出し、ロックブロック６７のロック片６８が係合突起６９に係合して、両桟部材６９、７０の直線状態を強力に維持することになる。
【００４４】
このように関節装置９によって両補強杆７，８を直線状態にロックしてその状態を維持し、両補強杆７，８にて補強される前後脚体２，３の直立状態を保持するため、この補強杆７，８は、前後脚体２，３間に襷掛けされるブレス６，６とともに、使用位置での前後両脚体２，３の剛性を確保することができる。
【００４５】
尚、上記実施形態では、前後脚体２，３をステージ部１の裏面側に折り畳むことができる作業台の例を示したが、本発明は前後各脚体２，３をステージ部１に固定して連結し、各脚体２，３の伸縮調整だけを行うようにした作業台にも適用することができるものとする。
【００４６】
また、図１及び図２に示す伸縮梯子１１は、周知の構造であるため、その構造については説明を省略する。尚、この伸縮梯子１１には上半部両側に手摺り７３が、また上端部側に手掛け棒７４，７４が夫々取り付けられている。また、この伸縮梯子１１は、上端部に取り付けた掛止フック７５をステージ部１の前端部に掛止させることによって、図１に示すように所定の傾斜角度でステージ部１の前端部に設置される。
【図面の簡単な説明】
【００４７】
【図１】本発明に係る作業台の側面図である。
【図２】同作業台の平面図である。
【図３】同作業台の背面図である。
【図４】(a) はブレスの一方のブレス部材を示す正面図、(b) は両ブレス部材が互いに嵌合した状態での正面図、(c) は同じく両ブレス部材が互いに嵌合した状態での平面図、(d) は(c) の矢印イで囲まれる部分の拡大図である。
【図５】(a) は前後脚体の２つのブレスが折り畳まれた状態の側面図、(b) は(a) の拡大図である。
【図６】脚体の伸縮調整手段の詳細構造を示す断面図である。
【図７】図６のロ−ロ線断面図である。
【図８】(a) は補強杆が伸展状態での関節装置の縦断面図、(b) は補強杆が二つ折りされた状態での縦断面図である。
【符号の説明】
【００４８】
１            ステージ部
２            前部脚体
３            後部脚体
４            前後各脚体の第１脚部
５            前後各脚体の第２脚部
６            ブレス
６ａ          ブレス部材
６ｂ          ブレス部材
６ａｏ        ブレス部材の取付端部
６ｂｏ        ブレス部材の取付端部
【図１】
2008050824.tif 000003
【図２】
2008050824.tif 000004
【図３】
2008050824.tif 000005
【図４】
2008050824.tif 000006
【図５】
2008050824.tif 000007
【図６】
2008050824.tif 000008
【図７】
2008050824.tif 000009
【図８】
2008050824.tif 000010